(57)【要約】【課題】  太鼓現象を発生させずに重量床衝撃音遮断性能の良い床構造を提供することである。【解決手段】  床構造１は、スラブ上面４との間に所定の空間５を形成するように、複数の支持脚３でスラブ上面４から適宜高さに、際根太を基準にレベル調整された床材を設置し、該床材２が緩衝材１２と床表面材１５とからなり、前記緩衝材１２は熱可塑性発泡樹脂、グラスウール、ロックウール、ゴム材のいずれかで構成される。【選択図】図１
2006265948.tif 000002
【特許請求の範囲】
【請求項１】
スラブ上面との間に所定の空間を形成するように、複数の支持脚でスラブ上面から適宜高さに、際根太を基準にレベル調整された床材を設置し、該床材が緩衝材と床表面材とからなることを特徴とする床構造。
【請求項２】
緩衝材は熱可塑性発泡樹脂、グラスウール、ロックウール、ゴム材のいずれかであることを特徴とする請求項１に記載の床構造。
【請求項３】
緩衝材は硬質熱可塑性発泡樹脂からなる下地部と、エラスティックな独立気泡の熱可塑性発泡樹脂からなる支持体とから形成されたことを特徴とする請求項１または２に記載の床構造。
【請求項４】
緩衝材は捨張材と、エラスティックな独立気泡の熱可塑性発泡樹脂とからなることを特徴とする請求項１または２に記載の床構造。
【請求項５】
下地部には複数の空隙が形成されたことを特徴とする請求項１〜４のいずれかに記載の床構造。
【請求項６】
緩衝材は支持脚で支持された平板の上に設置されたことを特徴とする請求項１〜５のいずれかに記載の床構造。
【請求項７】
緩衝材は支持脚で支持された平板の上に不陸調整材を介して設置されたことを特徴とする請求項１〜６のいずれかに記載の床構造。
【請求項８】
平板を支持した支持脚の取付間隔が不等間隔であることを特徴とする請求項１〜７のいずれかに記載の床構造。
【発明の詳細な説明】
【技術分野】
【０００１】
本発明は床構造に関するものである。
【背景技術】
【０００２】
従来の集合住宅の各住戸における床構造として、いわゆる二重床構造が構築されている。この二重床構造２３は、図６に示すように、支持脚２４が防振ゴム２５を介してスラブ上面２６に設置されて床衝撃音を低減していた。また、その他の床構造としては、例えば特開平１０−３３１４０１号公報の発明が知られている。
【特許文献１】特開平１０−３３１４０１号公報
【発明の開示】
【発明が解決しようとする課題】
【０００３】
しかし、上記のような床構造は、重量床衝撃音の振動エネルギーが支持脚の防振ゴムで吸収されずに、床材とスラブ上面との間に形成された空間を振動させる、いわゆる太鼓現象を発生させるため遮音性能が悪いという問題があった。
【０００４】
本願発明は上記のような問題に鑑みてなされたものであり、その目的は、太鼓現象を発生させずに重量床衝撃音遮断性能の良い床構造を提供することである。
【課題を解決するための手段】
【０００５】
本願発明の床構造は、スラブ上面との間に所定の空間を形成するように、複数の支持脚でスラブ上面から適宜高さに、際根太を基準にレベル調整された床材を設置し、該床材が緩衝材と床表面材とからなることを特徴とする。また緩衝材は熱可塑性発泡樹脂、グラスウール、ロックウール、ゴム材のいずれかであることを含む。また緩衝材は硬質熱可塑性発泡樹脂からなる下地部と、エラスティックな独立気泡の熱可塑性発泡樹脂からなる支持体とから形成されたことを含む。また緩衝材は捨張材と、エラスティックな独立気泡の熱可塑性発泡樹脂とからなることを含む。また下地部には複数の空隙が形成されたことを含む。また緩衝材は支持脚で支持された平板の上に設置されたことを含む。また緩衝材は支持脚で支持された平板の上に不陸調整材を介して設置されたことを含む。また平板を支持した支持脚の取付間隔が不等間隔であることを含むものである。
【発明の効果】
【０００６】
重量床衝撃音の振動エネルギーを床材の緩衝材で吸収して、床材とスラブ上面との間に形成された空間に伝えないため、いわゆる太鼓現象の発生を防いで遮音性能を良くすることができる。また床材の緩衝材が床材とスラブ上面との間に形成された空間よりも上側に設置されているため、空間へ振動を伝搬させない。また熱可塑性発泡樹脂、グラスウール、ロックウール、ゴム材のいずれかからなる緩衝材は振動エネルギーを良く吸収することができる。平板を支持した支持脚の取付間隔が不等間隔であることから、平板の共振動による太鼓現象の発生を防ぐ。
【発明を実施するための最良の形態】
【０００７】
以下、本願発明の床構造の実施の形態を図面により説明するが、各実施の形態において同じ構成は同じ符号を付して説明し、異なった構成にのみ異なった符号を付して説明する。
【０００８】
図１は第１の実施の形態の床構造１である。この床構造１は床材２が支持脚３によりスラブ下面４から適宜高さに設置され、該スラブ上面４と床材２との間に所定の空間５が形成された、いわゆる二重床である。また床材２の側面が束立て６を介して壁側に設置された際根太７に当接され、床材２の上面壁側には、下面にヒレ８を備えた幅木９が設けられている。
【０００９】
また支持脚３は不等間隔（ランダム）に取り付けて、支持脚の取付間隔Ｍを狭めることにより、平板１０の共振動を防いで太鼓現象の発生を制御している。すなわち支持脚３を同じ間隔で、しかも一直線状に設置すると、支持脚の取付間隔Ｍが広くなって平板１０が共振動し易くなるため、太鼓現象が発生する。このような不具合を解消するために支持脚の取付間隔Ｍを狭くするものである。
【００１０】
この床材２は支持脚３上面の平板１０上にモルタルなどの不陸調整材１１を介して緩衝材１２が設置され、該緩衝材１２の上面に捨張材１３と仕上材１４とからなる床表面材１５が設置されている。したがって、緩衝材１２を通じて床材全体で不陸調整材１１によっても平板１０上でレベル調整される。また緩衝材１２の上面には桟木を備えた発泡プラスティック床下地材と仕上材１４とからなる床表面材１５を設置してもよい。
【００１１】
この緩衝材１２は、振動エネルギーを効率よく吸収するポリスチレン系樹脂やポリオレフイン系樹脂などの硬質熱可塑性発泡樹脂、グラスウール、ロックウール、ゴム材のいずれかで形成されている。
【００１２】
このような緩衝材１２を設けたことより、下記の表１および表２に示すように、ＪＩＳ１４４０の評価方法に基づく重量床衝撃音の６３Ｈｚ〜５００Ｈｚおけるレベルを低減させたり、素面スラブのレベル等級を低下させない限度まで維持させ、遮音性のレベルを素面のランクを維持させることを確認することができた。
また、この下記の表１および表２における試験体（Ａ）は従来の乾式二重床であり、試験体（Ｂ）は支持脚とスラブとの間にエラスティックな緩衝層を設置した床構造であり、試験体（Ｃ）が上記の実施の形態における床構造１である。
なお、表１、表２ともに、品確法・性能表示（音環境）に規定された床衝撃音レベル低減量区分に従った低減区分とした。
【００１３】
【表１】
2006265948.tif 000003
【００１４】
【表２】
2006265948.tif 000004
【００１５】
また図２は第２の実施の形態の床構造１６である。この床構造１６は緩衝材１２が硬質熱可塑性発泡樹脂からなる床下地材１７で形成されたものである。またこの床下地材１７は下部にはエラスティックな独立気泡の熱可塑性発泡樹脂からなる支持体を一体形成することもできる（図示せず）。
【００１６】
この独立気泡の熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜４０ｇ／ｌの発泡形成体が使用される。
【００１７】
また図３は第３の実施の形態の床構造１８である。この床構造１８は床下地材の下部に形成された空隙部１９ａがエラスティックな独立気泡の熱可塑性発泡樹脂からなる支持体１９で塞がれたものである。
【００１８】
また図４は第４の実施の形態の床構造２０である。この床構造２０は支持脚３上面の平板１０に不陸調整材１１を介さずに緩衝材１２を直接設置したものであり、これ以外は第１の実施の形態の床構造１と同じ構成である。このように緩衝材１２を平板１０上に接着剤などを介して直接設置しても振動エネルギーを効率的に吸収することができる。ただし、この場合、レベル調整は緩衝材１２を際根太基準で水平方向にカットするか、支持脚３と平板１０の接合部に設置されたボルト・ナットの嵌合高さに位置調整するかして行う。
【００１９】
また図５は第５の実施の形態の床構造２１である。この床構造２１は平板１０および不陸調整材１１を使用せずに、緩衝材１２を支持脚３の上面に直接設置したものであり、これ以外は第１の実施の形態の床構造１と同じ構成である。このように緩衝材１２を支持脚３の上面に直接設置しても上記と同様の効果を奏することができる。ただし、この場合、レベル調整は緩衝材１２を際根太基準で水平方向にカットするか、支持脚３と捨張材１３の接合部に設置されたボルト・ナットの嵌合高さに位置調整するかして行う。
【図面の簡単な説明】
【００２０】
【図１】第１の実施の形態の床構造であり、（１）は断面図、（２）は同一部省略平面図である。
【図２】第２の実施の形態の床構造であり、（１）は断面図、（２）は同一部省略平面図である。
【図３】第３の実施の形態の床構造であり、（１）は断面図、（２）は同一部省略平面図である。
【図４】第４の実施の形態の床構造であり、（１）は断面図、（２）は同一部省略平面図である。
【図５】第５の実施の形態の床構造であり、（１）は断面図、（２）は同一部省略平面図である。
【図６】従来の床構造であり、（１）は斜視図、（２）は同断面図である。
【符号の説明】
【００２１】
１、１６、１８、２０、２１、２３  床構造
２  床材
３、２４  支持脚
４、２６  スラブ上面
５  空間
６  束立て
７  際根太
８  ヒレ
９  幅木
１０  平板
１１  不陸調整材
１２  緩衝材
１３  捨張材
１４  仕上材
１５  床表面材
１７  床下地材
１９  支持体
１９ａ  空隙部
２５  防振ゴム
【図１】
2006265948.tif 000005
【図２】
2006265948.tif 000006
【図３】
2006265948.tif 000007
【図４】
2006265948.tif 000008
【図５】
2006265948.tif 000009
【図６】
2006265948.tif 000010